(57)【要約】【課題】大きなサブミラーを備えることができる一眼レフレックスカメラのミラー装置を提供する。【解決手段】一部が半透過部として構成された反射面を有し、被写体光束を反射する観察位置と被写体光束から退避した退避位置とに回動可能なメインミラー１３およびメインミラー保持枠３１と、メインミラー１３等が観察位置にあるときに半透過部を透過した被写体光束を反射するためのサブミラー１４と、このサブミラー１４を保持する保持枠であって、サブミラー１４の端辺１４ａと平行な回転中心周りにメインミラー１３に対して回動可能であり、端辺１４ａと対向する支持縁３２ｄとサブミラー１４の平面を支えるための支持平面３２ｂとを有し、さらに支持縁３２ｄと支持平面３２ｂとの交線である稜線部に沿った長孔部３２ｅを有するサブミラー保持枠３２と、を備えた一眼レフレックスカメラのミラー装置。【選択図】図１
2009092956.tif 000002
【特許請求の範囲】
【請求項１】
一眼レフレックスカメラのミラー装置において、
少なくとも一部が半透過部として構成された反射面を有し、被写体光束中にあって該被写体光束を該反射面により反射する観察位置と、該被写体光束から退避した退避位置と、に回動可能な反射ミラー手段と、
上記反射ミラー手段が観察位置にあるときに、上記半透過部を透過した被写体光束を反射するためのサブミラーと、
上記サブミラーを保持する保持枠であって、該サブミラーの少なくとも一端辺と平行な回転中心周りに上記反射ミラー手段に対して回動可能であり、該サブミラーの端辺の内の該回転中心と平行かつ該回転中心から最も離れた端辺と対向する支持縁と、該サブミラーの平面を支えるための支持平面と、を有し、さらに該支持縁と該支持平面との交線である稜線部に沿った長孔部であって該支持縁に対向する上記サブミラーの端辺部が露呈し得る長孔部を有するサブミラー保持枠と、
を具備したことを特徴とする一眼レフレックスカメラのミラー装置。
【請求項２】
上記サブミラー保持枠は、上記反射ミラー手段が観察位置にあるときに、上記長孔部がシャッタ装置に対向する配置となるように構成されたものであることを特徴とする請求項１に記載の一眼レフレックスカメラのミラー装置。
【請求項３】
上記サブミラー保持枠は、上記回転中心から遠のく方向に上記支持縁から延長され、かつ上記支持平面に対して角度を有して上記反射ミラー手段側へ折り曲がっている延長面部をさらに有するものであることを特徴とする請求項１または請求項２に記載の一眼レフレックスカメラのミラー装置。
【請求項４】
上記支持平面は、上記サブミラーの平面と当接して該サブミラーを複数箇所で支える複数の当接面を有して構成されたものであることを特徴とする請求項１、請求項２、または請求項３に記載の一眼レフレックスカメラのミラー装置。
【発明の詳細な説明】
【技術分野】
【０００１】
本発明は、サブミラー保持枠に保持されたサブミラーを備える一眼レフレックスカメラのミラー装置に関する。
【背景技術】
【０００２】
一眼レフレックスカメラは、撮影レンズから入射された被写体光束に基づき撮影を行うとともに、該撮影レンズから入射された被写体光束に基づき被写体の観察を行うように構成されたものである。そして、撮影レンズからの被写体光束を、撮影側へ向かわせるか、あるいは観察側へ向かわせるかを時間的に切り換えるようにする機構の代表例が、ミラー装置としてのクイックリターンミラーである。
【０００３】
ところで、近年発売されているカメラの多くはオートフォーカス（ＡＦ）機構を備えており、一眼レフレックスカメラが備えるＡＦ機構の代表例が位相差ＡＦである。
【０００４】
そして、上述したようなクイックリターンミラーを備えた一眼レフレックスカメラは、位相差ＡＦを行うために、一般に次のような構造を備えている。
【０００５】
撮影レンズからの被写体光束を反射する観察位置と、該被写体光束から退避した退避位置と、に回動可能なメインミラーの一部を半透過部として構成する。そして、観察位置においてこの半透過部を透過した被写体光束を反射するためのサブミラーを該半透過部の背面側に設けて、このサブミラーにより反射した被写体光束の光路上に位相差ＡＦ用の測距センサを配置する。なお、このサブミラーは、メインミラーが退避位置にあるときには、該メインミラーに沿って折り畳まれて被写体光束から退避するように構成されている。
【０００６】
このような構成のクイックリターンミラーを備えた一眼レフレックスカメラは、メインミラーの一部が半透過部であるために、退避位置にあるときに観察光学系側から外光が透過してミラーボックス内に入射し、撮影に影響を与える可能性がある。そこで、例えば特許第２９０１１３２号には、サブミラーを保持するサブミラー保持枠に遮光片を延出して設け、退避位置にあるときに半透過部を遮光する構成が記載されている。
【０００７】
ところで、近年、ＡＦ測距点の多点化が進んでおり、画面に対する位相差ＡＦ可能な範囲の比率、いわゆる「カバー率」が大きくなりつつある。このカバー率を大きくするには、単純にいって、ＡＦ用のサブミラーを大きくすれば良い。
【特許文献１】特許第２９０１１３２号
【発明の開示】
【発明が解決しようとする課題】
【０００８】
しかし、実際のカメラにおいては、フランジバックの寸法や撮影レンズによるミラー構成の禁止域が決まっているために、ＡＦ用のサブミラーを単純に大きくすることはできず、何らかの工夫を凝らすことが要求されている。
【０００９】
本発明は上記事情に鑑みてなされたものであり、大きなサブミラーを備えることができる一眼レフレックスカメラのミラー装置を提供することを目的としている。
【課題を解決するための手段】
【００１０】
上記の目的を達成するために、第１の発明による一眼レフレックスカメラのミラー装置は、少なくとも一部が半透過部として構成された反射面を有し被写体光束中にあって該被写体光束を該反射面により反射する観察位置と該被写体光束から退避した退避位置とに回動可能な反射ミラー手段と、上記反射ミラー手段が観察位置にあるときに上記半透過部を透過した被写体光束を反射するためのサブミラーと、上記サブミラーを保持する保持枠であって該サブミラーの少なくとも一端辺と平行な回転中心周りに上記反射ミラー手段に対して回動可能であり該サブミラーの端辺の内の該回転中心と平行かつ該回転中心から最も離れた端辺と対向する支持縁と該サブミラーの平面を支えるための支持平面とを有しさらに該支持縁と該支持平面との交線である稜線部に沿った長孔部であって該支持縁に対向する上記サブミラーの端辺部が露呈し得る長孔部を有するサブミラー保持枠と、を具備したものである。
【００１１】
また、第２の発明による一眼レフレックスカメラのミラー装置は、上記第１の発明による一眼レフレックスカメラのミラー装置において、上記サブミラー保持枠が、上記反射ミラー手段が観察位置にあるときに、上記長孔部がシャッタ装置に対向する配置となるように構成されたものである。
【００１２】
さらに、第３の発明による一眼レフレックスカメラのミラー装置は、上記第１または第２の発明による一眼レフレックスカメラのミラー装置において、上記サブミラー保持枠が、上記回転中心から遠のく方向に上記支持縁から延長され、かつ上記支持平面に対して角度を有して上記反射ミラー手段側へ折り曲がっている延長面部をさらに有するものである。
【００１３】
第４の発明による一眼レフレックスカメラのミラー装置は、上記第１から第３の発明による一眼レフレックスカメラのミラー装置において、上記支持平面が、上記サブミラーの平面と当接して該サブミラーを複数箇所で支える複数の当接面を有して構成されたものである。
【発明の効果】
【００１４】
本発明の一眼レフレックスカメラのミラー装置によれば、大きなサブミラーを備えることが可能となる。
【発明を実施するための最良の形態】
【００１５】
以下、図面を参照して本発明の実施の形態を説明する。
【００１６】
図１から図５は本発明の一実施形態を示したものであり、図１は観察位置におけるミラー装置の配置を側方から示す図、図２は一眼レフレックスカメラのカメラ本体の構成を示す縦断面図、図３は観察位置にある状態のミラー装置を下方側から示す斜視図、図４はサブミラーを取り外した状態のサブミラー保持枠の構成を観察位置における下方側から示す斜視図、図５は観察位置にあるミラー装置を背面側から示す斜視図である。
【００１７】
まず、図２を参照して、一眼レフレックスカメラのカメラ本体の構成について説明する。
【００１８】
このカメラ本体１は、ミラー装置２と、撮像ユニット３と、ファインダユニット４と、測距ユニット５と、表示ユニット６と、ストロボユニット７と、を備えている。
【００１９】
ミラー装置２の前方にはボディマウント（カメラマウント）１１が設けられており、このボディマウント（カメラマウント）１１を介して、撮影レンズを交換可能に着脱することができるようになっている。なお、以下において「光路」というときは、撮影レンズがボディマウント（カメラマウント）１１に装着されたとしたときの、該撮影レンズを介して入射される被写体光束の光路を指すこととし、例外がある場合にはその旨を明記することにする。
【００２０】
このボディマウント（カメラマウント）１１の光路上後方にはミラーボックス１２が配設されており、このミラーボックス１２内に、ミラー装置２を構成するメインミラー１３と、サブミラー１４と、が配設されている。ここにメインミラー１３は、反射面の少なくとも一部が半透過部として構成されていて、サブミラー１４はこの半透過部を透過した被写体光束を反射するためのものである。なお、このミラー装置２については、後で図１および図３〜図５を参照してより詳細に説明する。
【００２１】
これらメインミラー１３およびサブミラー１４は、図２の実線に示す観察位置と、図２の２点鎖線に示す退避位置と、に回動可能に変位し得るようになっている。
【００２２】
メインミラー１３およびサブミラー１４が退避位置にあるときの光路上後方には、撮像ユニット３が配設されている。この撮像ユニット３は、被写体光束の通過時間を制御するためのシャッタ装置１５と、このシャッタ装置１５の光路上後方に配設された撮像素子１６と、を備えている。
【００２３】
一方、メインミラー１３およびサブミラー１４が観察位置にあるときの、メインミラー１３により反射された被写体光束の光路上には、ファインダユニット４が配設されている。このファインダユニット４は、撮影レンズに対して撮像素子１６と光学的に等価な位置に配設され、被写体像が結像されるようになされたフォーカシングスクリーン１７と、このフォーカシングスクリーン１７に結像された被写体像を正立正像に変換するためのペンタプリズム１８と、このペンタプリズム１８からの光学像を拡大して観察者の眼に導くための接眼光学系１９と、を備えて構成されている。
【００２４】
また、メインミラー１３およびサブミラー１４が観察位置にあるときの、サブミラー１４により反射された被写体光束の光路上には、測距ユニット５が配設されている。この測距ユニット５は、コンデンサレンズ２１と、第１ミラー２２と、第２ミラー２３と、セパレータレンズ２４と、測距センサ２５と、を備え、位相差ＡＦを行うものとして構成されている。
【００２５】
撮像ユニット３のさらに後方側となるカメラ本体１の背面側には、カラー液晶表示素子等を含んで構成される表示ユニット６が配設されている。
【００２６】
また、ペンタプリズム１８の上方には、被写体に照明光を照射するためのストロボユニット７が、使用時にポップアップし、非使用時にカメラ本体１内に収納され得るように配設されている。
【００２７】
次に、図１および図３〜図５を参照して、ミラー装置２の構成について説明する。
【００２８】
図１および図３に示すように、メインミラー１３はメインミラー保持枠３１に保持されて、反射ミラー手段を構成している。また、サブミラー１４は、サブミラー保持枠３２に保持されている。
【００２９】
メインミラー保持枠３１は、図３および図５に示すように、ヒンジ凸部３１ａをミラーボックス１２に回動可能に支持されていて、上述した観察位置と退避位置とを取り得るようになっている。
【００３０】
さらに、メインミラー保持枠３１は、ヒンジ凸部３１ｂを備えており、サブミラー保持枠３２を回動可能に支持するようになっている。
【００３１】
そして、メインミラー保持枠３１には、例えば八角形の形状をなす透過孔３１ｃが設けられている。また、メインミラー１３はハーフミラーとして構成されている。従って、メインミラー１３の反射面の内のこの透過孔３１ｃに対向する部分が、被写体光束を透過するための半透過部となる。
【００３２】
一方、サブミラー保持枠３２は、ヒンジ孔３２ａを備えており、このヒンジ孔３２ａをメインミラー保持枠３１のヒンジ凸部３１ｂに嵌合することにより、この嵌合部分を回転中心として、該メインミラー保持枠３１に対して回動可能に支持されている。ここに、サブミラー１４は、長辺となる端辺１４ａ，１４ｂと、短辺となる端辺１４ｃ，１４ｄと、を備える矩形形状に構成されている。そして、サブミラー保持枠３２は、これらの内の端辺１４ａ，１４ｂと平行な回転軸周りに、メインミラー保持枠３１に対して回動可能となっている。
【００３３】
このサブミラー保持枠３２は、サブミラー１４の平面を背面側から支えるための支持平面３２ｂを備えている。より詳しくは、この支持平面３２ｂには、図４に示すようなボス状をなす複数の（図４の例においては３つの）当接面３２ｃが突設されており、サブミラー１４はこれらの当接面３２ｃを介して支えられるようになっている。
【００３４】
また、サブミラー保持枠３２は、サブミラー１４の回転中心から最も離れた端辺１４ａと対向する支持縁３２ｄを備えていて、端辺１４ａがこの支持縁３２ｄに当接し、サブミラー保持枠３２に対してサブミラー１４の位置出しが行われている。さらに、サブミラー保持枠３２の、この支持縁３２ｄと上述した支持平面３２ｂとの交線である稜線部に沿って、細長の貫通孔でなる長孔部３２ｅが形成されている。この長孔部３２ｅは、図５に示すような背面側から見たときに、サブミラー保持枠３２の正面側に支持されているサブミラー１４の一部が露呈する（ただし、図１に示すように、突出はしていない）構成となっている。この長孔部３２ｅは、図１に示すように、ミラー装置２が観察位置にあるときに、シャッタ装置１５に対向する配置となるように構成されている。
【００３５】
さらに、サブミラー保持枠３２は、上述した回転中心から遠のく方向に支持縁３２ｄから延長され、支持平面３２ｂに対して角度を有してメインミラー１３側へ折り曲がっている延長面部３２ｆをさらに有している。この延長面部３２ｆは、ミラー装置２が観察位置にあるときにシャッタ装置１５と接触することがないような角度、具体的には図１に示すように、シャッタ装置１５と略平行な角度となるように形成されている。また、この延長面部３２ｆは、退避位置にあるときには、ファインダユニット４の接眼光学系１９を介して入射し、メインミラー１３における半透過部を介してミラーボックス１２内へ入射しようとする外光を遮光する機能を備えている。
【００３６】
また、ミラーボックス１２内には、図１に示すように、観察位置におけるメインミラー保持枠３１の位置決めを行うためのメインミラー保持枠用ストッパ３３と、観察位置におけるサブミラー保持枠３２の位置決めを行うためのサブミラー保持枠用ストッパ３４と、が設けられている。これらの各ストッパ３３，３４は、ミラーボックス１２に対して回動可能となるように半固定状態に加締められて構成されると共に、各回動中心に対して偏心したストッパ周面を備えており、回動位置を調整することで、観察位置の位置決めを高精度に行うことができるように構成されている。
【００３７】
なお、上述では、メインミラー１３とメインミラー保持枠３１とにより反射ミラー手段が構成されているが、これらが一体化されて構成された反射ミラー手段であっても構わない。
【００３８】
このような実施形態によれば、サブミラー１４を保持するサブミラー保持枠３２に長孔部３２ｅを設けたために、観察位置において、図１に示すようにサブミラー１４の端辺１４ａがシャッタ装置１５のごく近傍まで近付くことができる。特に、従来はサブミラー保持枠の少なくとも肉厚分はサブミラーがシャッタ装置１５から離れている必要があったのに比べて、本実施形態ではシャッタ装置１５との距離をより近接させることが可能となる。これにより、サブミラー１４の大きさを可能な限り大きくすることができる。そしてひいては、測距ユニット５による測距のカバー率を大きくすることが可能となり、被写体を観察する視野内において広範囲の部分を測距することができる。
【００３９】
また、サブミラー保持枠３２の延長面部３２ｆを、メインミラー１３側へ角度をもって折り曲がるように構成したために、サブミラー１４が観察位置においてシャッタ装置１５に近接している設計であっても、延長面部３２ｆがシャッタ装置１５と接触することはない。そして、この延長面部３２ｆを設けているために、退避位置においてファインダユニット４側から入射してくる外光を防ぎ、撮像される画像に影響を与えるのを防止することができる。
【００４０】
加えて、サブミラー保持枠３２が、サブミラー１４を、支持平面３２ｂにおいて複数の当接面３２ｃにより支えるようにしたために、サブミラー１４の取付精度を向上することができる。
【００４１】
なお、上述においては、サブミラー１４の端辺１４ａは、長孔部３２ｅに露呈しているものの、長孔部３２ｅから突き出してはいない。しかし、構造上、シャッタ装置１５側にスペースの余裕があるのであれば、サブミラー１４の端辺１４ａが長孔部３２ｅから突き出す構成であっても構わない。
【００４２】
なお、本発明は上述した実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素から幾つかの構成要素を削除しても良い。さらに、異なる実施形態にわたる構成要素を適宜組み合わせても良い。このように、発明の主旨を逸脱しない範囲内において種々の変形や応用が可能であることは勿論である。
【図面の簡単な説明】
【００４３】
【図１】本発明の一実施形態において、観察位置におけるミラー装置の配置を側方から示す図。
【図２】上記実施形態における一眼レフレックスカメラのカメラ本体の構成を示す縦断面図。
【図３】上記実施形態において、観察位置にある状態のミラー装置を下方側から示す斜視図。
【図４】上記実施形態において、サブミラーを取り外した状態のサブミラー保持枠の構成を観察位置における下方側から示す斜視図。
【図５】上記実施形態において、観察位置にあるミラー装置を背面側から示す斜視図。
【符号の説明】
【００４４】
１…カメラ本体
２…ミラー装置
３…撮像ユニット
４…ファインダユニット
５…測距ユニット
６…表示ユニット
７…ストロボユニット
１１…ボディマウント（カメラマウント）
１２…ミラーボックス
１３…メインミラー（反射ミラー手段、半透過部を含む）
１４…サブミラー
１４ａ…端辺
１５…シャッタ装置
１６…撮像素子
１７…フォーカシングスクリーン
１８…ペンタプリズム
１９…接眼光学系
２１…コンデンサレンズ
２２…第１ミラー
２３…第２ミラー
２４…セパレータレンズ
２５…測距センサ
３１…メインミラー保持枠（反射ミラー手段）
３１ａ…ヒンジ凸部
３１ｂ…ヒンジ凸部
３１ｃ…透過孔（半透過部を構成する）
３２…サブミラー保持枠
３２ａ…ヒンジ孔
３２ｂ…支持平面
３２ｃ…当接面
３２ｄ…支持縁
３２ｅ…長孔部
３２ｆ…延長面部
３３…メインミラー保持枠用ストッパ
３４…サブミラー保持枠用ストッパ
【図１】
2009092956.tif 000003
【図２】
2009092956.tif 000004
【図３】
2009092956.tif 000005
【図４】
2009092956.tif 000006
【図５】
2009092956.tif 000007